(57)【要約】【課題】複数の監視条件を組み合わせる場合であっても監視条件の内容を容易に把握可能な監視プログラムを提供する。【解決手段】本開示に係る監視プログラムは、クロマトグラフ装置の状態を監視する監視プログラムであって、クロマトグラフ装置を用いた測定に関するパラメータについての判定条件を含む単独監視条件の入力、又は複数の単独監視条件を組み合わせた組み合わせ監視条件の入力を受け付ける入力ステップと、入力された全ての監視条件を組み合わせた第１組み合わせ監視条件に基づく第１組み合わせ条件式の一部を構成する、少なくとも１つの単独監視条件に基づく第１条件式と、第１条件式と組み合わせ演算式によって関連付けられる、少なくとも１つの単独監視条件に基づく第２条件式とを並列させて表示する表示ステップと、を含む。【選択図】図５
2020034324.tif 000002
【特許請求の範囲】
【請求項１】
クロマトグラフ装置の状態を監視する監視プログラムであって、
前記クロマトグラフ装置を用いた測定に関するパラメータについての判定条件を含む単独監視条件の入力、又は複数の前記単独監視条件を組み合わせた組み合わせ監視条件の入力を受け付ける入力ステップと、
入力された全ての監視条件を組み合わせた第１組み合わせ監視条件に基づく第１組み合わせ条件式の一部を構成する、少なくとも１つの前記単独監視条件に基づく第１条件式と、前記第１条件式と組み合わせ演算式によって関連付けられる、少なくとも１つの前記単独監視条件に基づく第２条件式とを並列させて表示する表示ステップと、
を含む、
監視プログラム。
【請求項２】
入力された全ての監視条件を組み合わせた前記第１組み合わせ監視条件に基づく前記第１組み合わせ条件式を決定する決定ステップをさらに含む、
請求項１に記載の監視プログラム。
【請求項３】
前記表示ステップおいて、前記第１組み合わせ条件式の一部を２つ、２列でそれぞれ表示し、前記組み合わせ演算式によって互いに関連付けられる前記第１条件式及び前記第２条件式を同一の行で並列させて表示する、
請求項１又は２に記載の監視プログラム。
【請求項４】
前記入力ステップにおいて、前記第１条件式、前記組み合わせ演算式、及び前記第２条件式によって構成される第２組み合わせ条件式に基づく第２組み合わせ監視条件に関するコメントの入力を受け付け、
前記表示ステップにおいて、前記第１条件式及び前記第２条件式と同一の行で並列させて前記コメントをさらに表示する、
請求項３に記載の監視プログラム。
【請求項５】
前記クロマトグラフ装置を用いた前記測定に関するパラメータの情報を、前記クロマトグラフ装置から受信する受信ステップと、
受信した前記測定に関するパラメータの情報に基づいて、前記第１条件式、前記組み合わせ演算式、及び前記第２条件式によって構成される第２組み合わせ条件式に基づく第２組み合わせ監視条件が成立したか否か、及び前記第１組み合わせ監視条件が成立したか否かの少なくとも一方を判定する判定ステップと、
前記判定ステップにおける成立判定に基づいて、対応する条件が成立したことを報知する報知ステップと、
をさらに含む、
請求項１乃至４のいずれか１項に記載の監視プログラム。
【請求項６】
前記クロマトグラフ装置を用いた前記測定に関するパラメータは、プロセスガスクロマトグラフ装置を用いた測定における測定系を構成する各構成部の動作パラメータと、前記プロセスガスクロマトグラフ装置を用いた測定により得られた測定結果に対する分析パラメータとを含む、
請求項１乃至５のいずれか１項に記載の監視プログラム。
【請求項７】
クロマトグラフ装置の状態を監視する監視装置であって、
制御部と、
前記クロマトグラフ装置を用いた測定に関するパラメータについての判定条件を含む単独監視条件の入力、又は複数の前記単独監視条件を組み合わせた組み合わせ監視条件の入力を受け付ける入力部と、
入力された全ての監視条件を組み合わせた第１組み合わせ監視条件に基づく第１組み合わせ条件式の一部を構成する、少なくとも１つの前記単独監視条件に基づく第１条件式と、前記第１条件式と組み合わせ演算式によって関連付けられる、少なくとも１つの前記単独監視条件に基づく第２条件式とを並列させて表示する表示部と、
を備える、
監視装置。
【請求項８】
前記制御部は、入力された全ての監視条件を組み合わせた前記第１組み合わせ監視条件に基づく前記第１組み合わせ条件式を決定する、
請求項７に記載の監視装置。
【請求項９】
前記表示部は、前記第１組み合わせ条件式の一部を２つ、２列でそれぞれ表示し、前記組み合わせ演算式によって互いに関連付けられる前記第１条件式及び前記第２条件式を同一の行で並列させて表示する、
請求項７又は８に記載の監視装置。
【請求項１０】
前記入力部は、前記第１条件式、前記組み合わせ演算式、及び前記第２条件式によって構成される第２組み合わせ条件式に基づく第２組み合わせ監視条件に関するコメントの入力を受け付け、
前記表示部は、前記第１条件式及び前記第２条件式と同一の行で並列させて前記コメントをさらに表示する、
請求項９に記載の監視装置。
【請求項１１】
通信部と、報知部とをさらに備え、
前記通信部は、前記クロマトグラフ装置を用いた前記測定に関するパラメータの情報を、前記クロマトグラフ装置から受信し、
前記制御部は、受信した前記測定に関するパラメータの情報に基づいて、前記第１条件式、前記組み合わせ演算式、及び前記第２条件式によって構成される第２組み合わせ条件式に基づく第２組み合わせ監視条件が成立したか否か、及び前記第１組み合わせ監視条件が成立したか否かの少なくとも一方を判定し、
前記報知部は、前記制御部による成立判定に基づいて、対応する条件が成立したことを報知する、
請求項７乃至１０のいずれか１項に記載の監視装置。
【請求項１２】
請求項７乃至１１のいずれか１項に記載の監視装置と、プロセスガスクロマトグラフ装置とを備える監視システムであって、
前記クロマトグラフ装置を用いた前記測定に関するパラメータは、前記プロセスガスクロマトグラフ装置を用いた測定における測定系を構成する各構成部の動作パラメータと、前記プロセスガスクロマトグラフ装置を用いた測定により得られた測定結果に対する分析パラメータとを含む、
監視システム。
【発明の詳細な説明】
【技術分野】
【０００１】
本開示は、監視プログラム、監視装置、及び監視システムに関する。
【背景技術】
【０００２】
化学分析に用いられるクロマトグラフ装置の状態を監視する監視システムに関する技術が従来知られている。
【０００３】
例えば、特許文献１には、検出器を用いて生成された複数の工程値に基づく複数の性能パラメータが特定の範囲内にない場合、クロマトグラフィー工程を停止する自動化システムが開示されている。
【先行技術文献】
【特許文献】
【０００４】
【特許文献１】特表２０１１−５１８３１４号公報
【発明の概要】
【発明が解決しようとする課題】
【０００５】
クロマトグラフ装置の状態を監視するにあたり、単独の監視条件が成立する複数の状態が考えられ、単独の監視条件が成立しただけではクロマトグラフ装置の状態を特定できないような場合が一般的である。このような場合、ユーザは、単独の監視条件を複数組み合わせてクロマトグラフ装置の状態を特定する必要がある。従来、ユーザ自身がこのような組み合わせを把握して、クロマトグラフ装置の状態を特定していた。しかしながら、このような場合、監視条件の組み合わせが複雑になるとその内容を把握することは困難であった。
【０００６】
本開示は、複数の監視条件を組み合わせる場合であっても監視条件の内容を容易に把握可能な監視プログラム、監視装置、及び監視システムを提供することを目的とする。
【課題を解決するための手段】
【０００７】
幾つかの実施形態に係る監視プログラムは、クロマトグラフ装置の状態を監視する監視プログラムであって、前記クロマトグラフ装置を用いた測定に関するパラメータについての判定条件を含む単独監視条件の入力、又は複数の前記単独監視条件を組み合わせた組み合わせ監視条件の入力を受け付ける入力ステップと、入力された全ての監視条件を組み合わせた第１組み合わせ監視条件に基づく第１組み合わせ条件式の一部を構成する、少なくとも１つの前記単独監視条件に基づく第１条件式と、前記第１条件式と組み合わせ演算式によって関連付けられる、少なくとも１つの前記単独監視条件に基づく第２条件式とを並列させて表示する表示ステップと、を含む。これにより、推定に必要な測定データの組み合わせをユーザ自身で把握していなくても、ユーザは、クロマトグラフ装置の状態を容易に特定可能である。すなわち、複数の監視条件を組み合わせる場合であっても監視条件の内容をユーザは容易に把握可能であり、ユーザの利便性が向上する。
【０００８】
一実施形態に係る監視プログラムでは、入力された全ての監視条件を組み合わせた前記第１組み合わせ監視条件に基づく前記第１組み合わせ条件式を決定する決定ステップをさらに含んでもよい。これにより、ユーザは、複雑な第１組み合わせ監視条件の入力を行うことなく、例えば単純な単独監視条件のみを入力すればよい。したがって、監視条件の入力設定が簡素化され、ユーザの利便性が向上する。
【０００９】
一実施形態に係る監視プログラムでは、前記表示ステップおいて、前記第１組み合わせ条件式の一部を２つ、２列でそれぞれ表示し、前記組み合わせ演算式によって互いに関連付けられる前記第１条件式及び前記第２条件式を同一の行で並列させて表示してもよい。これにより、小さな画面及び限られた表示領域等においても、ユーザが条件式を容易に把握可能な表示を提供可能である。すなわち、ユーザの視認性が向上する。
【００１０】
一実施形態に係る監視プログラムでは、前記入力ステップにおいて、前記第１条件式、前記組み合わせ演算式、及び前記第２条件式によって構成される第２組み合わせ条件式に基づく第２組み合わせ監視条件に関するコメントの入力を受け付け、前記表示ステップにおいて、前記第１条件式及び前記第２条件式と同一の行で並列させて前記コメントをさらに表示してもよい。これにより、ユーザは、カラム劣化等の組み合わせ監視条件の結果を容易に把握することができる。また、ユーザは、カラムには異常がなかった場合であっても、他の箇所の状態、及び当該個所に問題が生じている可能性があることを把握可能である。これらを把握することで、ユーザは、迅速で的確な保全作業を行うことができる。
【００１１】
一実施形態に係る監視プログラムは、前記クロマトグラフ装置を用いた前記測定に関するパラメータの情報を、前記クロマトグラフ装置から受信する受信ステップと、受信した前記測定に関するパラメータの情報に基づいて、前記第１条件式、前記組み合わせ演算式、及び前記第２条件式によって構成される第２組み合わせ条件式に基づく第２組み合わせ監視条件が成立したか否か、及び前記第１組み合わせ監視条件が成立したか否かの少なくとも一方を判定する判定ステップと、前記判定ステップにおける成立判定に基づいて、対応する条件が成立したことを報知する報知ステップと、をさらに含んでもよい。これにより、複数の単独監視条件を組み合わせた組み合わせ監視条件により判定することで、単独監視条件だけでは把握できなかったクロマトグラフ装置の状態が監視可能である。また、ユーザは、報知ステップによる報知によって、各条件式が成立しているか否かをより直感的に把握することができる。
【００１２】
一実施形態に係る監視プログラムでは、前記クロマトグラフ装置を用いた前記測定に関するパラメータは、プロセスガスクロマトグラフ装置を用いた測定における測定系を構成する各構成部の動作パラメータと、前記プロセスガスクロマトグラフ装置を用いた測定により得られた測定結果に対する分析パラメータとを含んでもよい。
【００１３】
幾つかの実施形態に係る監視装置は、クロマトグラフ装置の状態を監視する監視装置であって、制御部と、前記クロマトグラフ装置を用いた測定に関するパラメータについての判定条件を含む単独監視条件の入力、又は複数の前記単独監視条件を組み合わせた組み合わせ監視条件の入力を受け付ける入力部と、入力された全ての監視条件を組み合わせた第１組み合わせ監視条件に基づく第１組み合わせ条件式の一部を構成する、少なくとも１つの前記単独監視条件に基づく第１条件式と、前記第１条件式と組み合わせ演算式によって関連付けられる、少なくとも１つの前記単独監視条件に基づく第２条件式とを並列させて表示する表示部と、を備える。これにより、推定に必要な測定データの組み合わせをユーザ自身で把握していなくても、ユーザは、クロマトグラフ装置の状態を容易に特定可能である。すなわち、複数の監視条件を組み合わせる場合であっても監視条件の内容をユーザは容易に把握可能であり、ユーザの利便性が向上する。
【００１４】
一実施形態に係る監視装置では、前記制御部は、入力された全ての監視条件を組み合わせた前記第１組み合わせ監視条件に基づく前記第１組み合わせ条件式を決定してもよい。これにより、ユーザは、複雑な第１組み合わせ監視条件の入力を行うことなく、例えば単純な単独監視条件のみを入力すればよい。したがって、監視条件の入力設定が簡素化され、ユーザの利便性が向上する。
【００１５】
一実施形態に係る監視装置では、前記表示部は、前記第１組み合わせ条件式の一部を２つ、２列でそれぞれ表示し、前記組み合わせ演算式によって互いに関連付けられる前記第１条件式及び前記第２条件式を同一の行で並列させて表示してもよい。これにより、小さな画面及び限られた表示領域等においても、ユーザが条件式を容易に把握可能な表示を提供可能である。すなわち、ユーザの視認性が向上する。
【００１６】
一実施形態に係る監視装置では、前記入力部は、前記第１条件式、前記組み合わせ演算式、及び前記第２条件式によって構成される第２組み合わせ条件式に基づく第２組み合わせ監視条件に関するコメントの入力を受け付け、前記表示部は、前記第１条件式及び前記第２条件式と同一の行で並列させて前記コメントをさらに表示してもよい。これにより、ユーザは、カラム劣化等の組み合わせ監視条件の結果を容易に把握することができる。また、ユーザは、カラムには異常がなかった場合であっても、他の箇所の状態、及び当該個所に問題が生じている可能性があることを把握可能である。これらを把握することで、ユーザは、迅速で的確な保全作業を行うことができる。
【００１７】
一実施形態に係る監視装置は、通信部と、報知部とをさらに備え、前記通信部は、前記クロマトグラフ装置を用いた前記測定に関するパラメータの情報を、前記クロマトグラフ装置から受信し、前記制御部は、受信した前記測定に関するパラメータの情報に基づいて、前記第１条件式、前記組み合わせ演算式、及び前記第２条件式によって構成される第２組み合わせ条件式に基づく第２組み合わせ監視条件が成立したか否か、及び前記第１組み合わせ監視条件が成立したか否かの少なくとも一方を判定し、前記報知部は、前記制御部による成立判定に基づいて、対応する条件が成立したことを報知してもよい。これにより、複数の単独監視条件を組み合わせた組み合わせ監視条件により判定することで、単独監視条件だけでは把握できなかったクロマトグラフ装置の状態が監視可能である。また、ユーザは、報知部による報知によって、各条件式が成立しているか否かをより直感的に把握することができる。
【００１８】
幾つかの実施形態に係る監視システムは、上記のいずれかの監視装置と、プロセスガスクロマトグラフ装置とを備える監視システムであって、前記クロマトグラフ装置を用いた前記測定に関するパラメータは、前記プロセスガスクロマトグラフ装置を用いた測定における測定系を構成する各構成部の動作パラメータと、前記プロセスガスクロマトグラフ装置を用いた測定により得られた測定結果に対する分析パラメータとを含んでもよい。
【発明の効果】
【００１９】
本開示によれば、複数の監視条件を組み合わせる場合であっても監視条件の内容を容易に把握可能な監視プログラム、監視装置、及び監視システムを提供可能である。
【図面の簡単な説明】
【００２０】
【図１】一実施形態に係る監視装置を含む監視システムの一例を示すブロック図である。
【図２】図１の監視装置が行う監視動作を概念的に示す模式図である。
【図３Ａ】図１の監視装置が行う監視動作の第１例を示すフローチャートである。
【図３Ｂ】図１の監視装置が行う監視動作の第２例を示すフローチャートである。
【図４】図１の監視装置が行う監視動作の第３例を示すフローチャートである。
【図５】図１の監視装置が第１組み合わせ監視条件の内容を条件式で表示するときの表示画面の一例を示す模式図である。
【図６】図１の報知部がユーザに対して行う報知の第１例を示した模式図である。
【図７】図１の報知部がユーザに対して行う報知の第２例を示した模式図である。
【図８】図１の報知部がユーザに対して行う報知の第３例を示した模式図である。
【図９】一例として、図５の各条件式を一行に配置したときの画面を示す模式図である。
【図１０】クロマトグラフ装置の状態を監視する従来の監視方法を示す模式図である。
【図１１】クロマトグラフ装置の状態を監視する従来の監視方法のフローを示すフローチャートである。
【発明を実施するための形態】
【００２１】
図１０及び図１１を参照しながら、従来技術の内容及び問題点について主に説明する。
【００２２】
図１０は、クロマトグラフ装置の状態を監視する従来の監視方法を示す模式図である。図１０を参照しながら、クロマトグラフ装置の状態を監視する従来の監視方法を実行した監視装置の監視動作について主に説明する。
【００２３】
従来の監視方法では、クロマトグラフ装置を用いた測定に関するパラメータについて、予め設定した個別の監視条件が成立すると、そのたびごとにユーザへの報知が行われていた。すなわち、監視条件は、個々に独立して機能していた。
【００２４】
より具体的には、単独監視条件１が成立すると、監視装置は、単独監視条件１が成立したこと、及び単独監視条件１に関連付けられたコメント内容等をメッセージとして表示していた。その後、単独監視条件２が成立すると、この時点でも、監視装置は、単独監視条件２が成立したこと、及び単独監視条件２に関連付けられたコメント内容等をメッセージとして表示していた。
【００２５】
図１１は、クロマトグラフ装置の状態を監視する従来の監視方法のフローを示すフローチャートである。
【００２６】
図１１を参照すると、ステップＳ１では、監視装置は、クロマトグラフ装置を用いた測定に関するパラメータの情報を、クロマトグラフ装置から受信する。
【００２７】
ステップＳ２では、監視装置は、単独の監視条件が成立したか否かを判定する。単独の監視条件が成立したと監視装置が判定すると、フローはステップＳ３に進む。単独の監視条件が成立していないと監視装置が判定すると、フローはステップＳ１に戻る。
【００２８】
ステップＳ３では、監視装置は、単独の監視条件が成立したと判定すると、成立した単独の監視条件に関するメッセージを表示する。
【００２９】
ステップＳ４では、監視装置は、関連するデータを記憶する。
【００３０】
このような従来技術の場合、ユーザは、直接的には、単独の監視条件の成立又は不成立だけしか把握できない。単独の監視条件が成立すればクロマトグラフ装置の特定の状態の成否をユーザが判断できる場合もあるが、単独の監視条件が成立しただけでは、そのような条件が成立する複数の状態が考えられ、クロマトグラフ装置の状態を特定できないような場合が一般的である。
【００３１】
このような場合、ユーザは、単独の監視条件を複数組み合わせてクロマトグラフ装置の状態を特定する必要がある。すなわち、ユーザは、個々の監視条件の状態から総合的な判断によりクロマトグラフ装置の状態を推定する必要がある。したがって、監視条件が個別に成立してもクロマトグラフ装置のシステム状態を把握することは容易ではなかった。
【００３２】
例えば、カラムの劣化及びサンプリング装置の異常は、クロマトグラフ装置にとって重大な故障である。しかしながら、センサを直接取り付けてこれらの事象を監視することは困難である。従来、クロマトグラフ装置が測定した複数のデータに基づいてユーザ自身がこれらの事象を推定していた。ユーザが経験豊富な熟練者であれば、推定に必要な測定データの組み合わせを把握しており、このような推定も可能である。しかしながら、ユーザが経験の浅い初心者の場合、このような推定は困難である。
【００３３】
本開示は、上記の問題点を解決するために、複数の監視条件を組み合わせる場合であっても監視条件の内容を容易に把握可能な監視プログラム、監視装置、及び監視システムを提供することを目的とする。
【００３４】
以下、添付図面を参照しながら本開示の一実施形態について主に説明する。
【００３５】
図１は、一実施形態に係る監視装置１０を含む監視システム１の一例を示すブロック図である。図１に示すとおり、監視システム１は、例えば、監視装置１０と、ネットワーク３０を介して監視装置１０と接続されているプロセスガスクロマトグラフ装置２０とを有する。
【００３６】
以下の説明中において、「測定に関するパラメータ」は、プロセスガスクロマトグラフ装置２０を用いた測定における測定系を構成する各構成部の動作パラメータと、プロセスガスクロマトグラフ装置２０を用いた測定により得られた測定結果に対する分析パラメータとを含む。
【００３７】
「動作パラメータ」は、サンプルの経路を作るオーブンバルブの動作回数、測定流路とサンプル量とを決定する流路弁の動作回数、及びガス体のプロセスサンプルをサンプリングする際に、サンプル圧を大気圧に低下させるために一時的にプロセスガスクロマトグラフ装置２０の上流でサンプルを止める大気圧平衡弁の動作回数等を含む。他にも、「動作パラメータ」は、冷却するための装置であるボルテックスチューブの稼働時間、並びにサンプルガスの成分濃度を測定する検出器の稼働時間及び電流値等を含む。
【００３８】
「分析パラメータ」は、プロセスガスクロマトグラフ装置２０からの測定結果における、成分濃度、保持時間、テーリング係数、成分分離度、ゲートオン時のベースレベル、ゲートオン時のノイズレベル、成分オン時のベースレベル、及び成分のＳ／Ｎ比等を含む。保持時間は、例えば、プロセスガスクロマトグラフ装置２０が有するカラムに試料を注入してから検出器によって各成分が検出されるまでの時間を意味する。プロセスガスクロマトグラフ装置２０が有する同一のカラムでは、一定条件下の分析において測定ごとに同一の時間で各成分が検出される。したがって、検出された１つ以上のピークに対応する保持時間から各成分を同定することが可能であり、保持時間は、ピークに対する成分の同定において有益な情報である。
【００３９】
「単独監視条件」は、１つの測定に関するパラメータについての判定条件を含む。「組み合わせ監視条件」は、複数の単独監視条件を組み合わせた監視条件を含む。「第１組み合わせ監視条件」は、入力された全ての監視条件を組み合わせた組み合わせ監視条件を含む。
【００４０】
ネットワーク３０は、監視装置１０とプロセスガスクロマトグラフ装置２０とを互いに通信接続可能な任意のネットワークを含む。例えば、ネットワーク３０は、インターネット及びローカルエリアネットワーク等の任意のネットワークを含む。ネットワーク３０は、無線及び有線、並びにこれらの組み合わせのいずれかによって構成されていてもよい。
【００４１】
監視装置１０は、プロセスガスクロマトグラフ装置２０の監視機能を有する任意の情報処理機器を含む。監視装置１０は、監視システム１の構成に特化した専用の情報処理機器であってもよいし、携帯電話、スマートフォン、タブレットＰＣ、デスクトップコンピュータ、及びモバイルコンピュータ等の任意の汎用電子機器であってもよい。
【００４２】
監視装置１０は、通信部１１と、表示部１２と、入力部１３と、記憶部１４と、報知部１５と、制御部１６と、を有する。
【００４３】
通信部１１は、任意の通信プロトコルに対応した任意の通信インタフェースを含む。通信部１１は、ネットワーク３０を介してプロセスガスクロマトグラフ装置２０と通信接続可能である。通信部１１は、測定に関するパラメータの情報を、ネットワーク３０を介してプロセスガスクロマトグラフ装置２０から受信する。通信部１１は、取得した測定に関するパラメータの情報を、制御部１６に出力する。
【００４４】
表示部１２は、ユーザの視覚に作用する任意の出力インタフェースを含む。表示部１２を構成する出力インタフェースは、例えば、液晶ディスプレイ等の任意の表示機器を含む。表示部１２は、例えば、モバイルコンピュータに一体的に備わっている液晶ディスプレイを含んでもよい。表示部１２は、例えば、単独監視条件及び組み合わせ監視条件をユーザが設定する設定画面を表示する。表示部１２は、例えば、後述する図５に示すような、単独監視条件に基づく単独条件式、及び組み合わせ監視条件に基づく組み合わせ条件式を表示する。
【００４５】
入力部１３は、キーボード、マウス、タッチパッド、及び音声により各種の指示が入力されるマイクロホン等の任意の入力インタフェースを含む。入力部１３は、例えば、タッチパネルとして、表示部１２を構成する液晶ディスプレイと一体に構成されてもよい。入力部１３は、例えば、表示部１２に表示された設定画面に対する、単独監視条件のユーザによる入力を複数受け付ける。また、入力部１３は、例えば、表示部１２に表示された設定画面に対する、組み合わせ監視条件のユーザによる入力を少なくとも１つ受け付ける。
【００４６】
記憶部１４は、ＨＤＤ（Hard Disk Drive）、ＳＳＤ（Solid State Drive）、ＥＥＰＲＯＭ（Electrically Erasable Programmable Read-Only Memory）、ＲＯＭ（Read-Only Memory）、及びＲＡＭ（Random Access Memory）等の任意の記憶装置を含み、監視システム１の監視動作を実現するために必要な情報を記憶する。記憶部１４は、主記憶装置、補助記憶装置、又はキャッシュメモリとして機能してもよい。記憶部１４は、監視装置１０に内蔵されているものに限定されず、ＵＳＢ等のデジタル入出力ポート等によって接続されている外付け型の記憶装置であってもよい。
【００４７】
報知部１５は、例えば、組み合わせ監視条件が成立したことをユーザに報知可能な任意の出力インタフェースを含む。報知部１５は、例えば、表示部１２を構成する出力インタフェースを含んでもよいし、スピーカ等の音声出力インタフェースを含んでもよい。報知部１５は、例えば、画像、文字、色彩の表示若しくは発光等による視覚的な方法、アラーム音若しくは音声ガイドによる音声等の聴覚的な方法、又はそれらの組み合わせにより報知してもよい。報知部１５が行う報知は、視覚的又は聴覚的な方法に限定されず、組み合わせ監視条件が成立したことをユーザが認識できる任意の方法を含んでもよい。例えば、報知部１５は、振動パターン等によりユーザに対して報知してもよい。
【００４８】
制御部１６は、１つ以上のプロセッサを含む。より具体的には、制御部１６は、汎用のプロセッサ及び特定の処理に特化した専用のプロセッサ等の任意のプロセッサを含む。制御部１６は、例えば、携帯電話、スマートフォン、タブレットＰＣ、デスクトップコンピュータ、及びモバイルコンピュータ等の任意の汎用電子機器等に搭載されたプロセッサ、並びに監視システム１の構成に特化した専用の情報処理機器に搭載されたプロセッサを含んでもよい。
【００４９】
図２は、図１の監視装置１０が行う監視動作を概念的に示す模式図である。図２を参照しながら、図１０の従来の監視方法との相違点を主に説明する。
【００５０】
一実施形態に係る監視装置１０では、制御部１６は、測定に関するパラメータについて予め設定した組み合わせ監視条件が成立したと判定すると、ユーザへ報知するように報知部１５を制御する。すなわち、制御部１６は、単独監視条件が個々に独立して成立しても、報知部１５にユーザへ報知させない。
【００５１】
より具体的には、制御部１６は、単独監視条件３が成立している状態から不成立となり、同じく単独監視条件２が不成立となっていることから、組み合わせ監視条件１が成立したと判定する。制御部１６は、この段階で、組み合わせ監視条件１が成立したこと、及び組み合わせ監視条件１に関連付けられたコメント内容等をメッセージとして報知部１５に報知させてもよい。さらに、制御部１６は、組み合わせ監視条件１が成立している状態で、同じく単独監視条件１が成立すると、組み合わせ監視条件２が成立したと判定する。制御部１６は、この段階でも、組み合わせ監視条件２が成立したこと、及び組み合わせ監視条件２に関連付けられたコメント内容等をメッセージとして報知部１５に報知させてもよい。
【００５２】
図３Ａ、図３Ｂ、及び図４のフローチャートを参照しながら、一実施形態に係る監視装置１０が行う監視動作の一例についてより詳細に説明する。
【００５３】
図３Ａは、図１の監視装置１０が行う監視動作の第１例を示すフローチャートである。図３Ａのフローチャートは、入力部１３が単独監視条件又は組み合わせ監視条件の入力を受け付けてから、表示部１２が入力内容を表示するまでのフローを示す。
【００５４】
図３Ａを参照すると、ステップＳ１０１Ａでは、制御部１６は、ユーザによる単独監視条件の入力、又は組み合わせ監視条件の入力を受け付けるように入力部１３を制御する。
【００５５】
ステップＳ１０２Ａでは、制御部１６は、入力された全ての監視条件を組み合わせた第１組み合わせ監視条件に基づく第１組み合わせ条件式を決定する。
【００５６】
ステップＳ１０３Ａでは、制御部１６は、決定された第１組み合わせ条件式の一部を構成する、少なくとも１つの単独監視条件に基づく第１条件式と、当該第１条件式と組み合わせ演算式によって関連付けられる、少なくとも１つの単独監視条件に基づく第２条件式とを並列させて表示するように表示部１２を制御する。
【００５７】
ここで、図２の例に当てはめると、第１組み合わせ監視条件は、組み合わせ監視条件２に対応する。第１条件式に基づく少なくとも１つの単独監視条件が１つの単独監視条件１に対応する場合、第２条件式に基づく少なくとも１つの単独監視条件は、２つのＮＯＴ単独監視条件２及びＮＯＴ単独監視条件３、すなわち組み合わせ監視条件１に対応する。第１条件式に基づく少なくとも１つの単独監視条件が１つのＮＯＴ単独監視条件２に対応する場合、第２条件式に基づく少なくとも１つの単独監視条件は、１つのＮＯＴ単独監視条件３に対応する。図２では、第１条件式と第２条件式とを互いに関連付ける組み合わせ演算式としてＡＮＤのみが示されているが、組み合わせ演算式は任意の演算式であってもよい。例えば、組み合わせ演算式はＯＲであってもよい。
【００５８】
図３Ｂは、図１の監視装置１０が行う監視動作の第２例を示すフローチャートである。図３Ｂのフローチャートは、ユーザにより決定された第１組み合わせ監視条件の入力を入力部１３が受け付けてから、表示部１２が入力内容を表示するまでのフローを示す。
【００５９】
図３Ｂを参照すると、ステップＳ１０１Ｂでは、制御部１６は、ユーザによる第１組み合わせ監視条件の入力を受け付けるように入力部１３を制御する。
【００６０】
ステップＳ１０２Ｂでは、制御部１６は、第１組み合わせ監視条件に基づく第１組み合わせ条件式の一部を構成する、少なくとも１つの単独監視条件に基づく第１条件式と、当該第１条件式と組み合わせ演算式によって関連付けられる、少なくとも１つの単独監視条件に基づく第２条件式とを並列させて表示するように表示部１２を制御する。
【００６１】
図４は、図１の監視装置１０が行う監視動作の第３例を示すフローチャートである。図４のフローチャートは、通信部１１が測定に関するパラメータの情報を受信してから、第１組み合わせ監視条件が成立したことを報知部１５がユーザに報知するまでのフローを示す。
【００６２】
図４を参照すると、ステップＳ２０１では、制御部１６は、番号ｎの値を１に設定する。
【００６３】
ステップＳ２０２では、制御部１６は、測定に関するパラメータの情報を、プロセスガスクロマトグラフ装置２０から受信するように通信部１１を制御する。
【００６４】
ステップＳ２０３では、制御部１６は、受信した測定に関するパラメータの情報に基づいて、単独監視条件が成立したか否かを判定する。そして、制御部１６は、ｎ番目の第２組み合わせ監視条件Ｃnが成立したか否かを判定する。第２組み合わせ監視条件Ｃnが成立したと制御部１６が判定すると、フローはステップＳ２０４に進む。第２組み合わせ監視条件Ｃnが成立していないと制御部１６が判定すると、フローはステップＳ２０２に戻る。
【００６５】
ここで、「第２組み合わせ監視条件」は、第１条件式、組み合わせ演算式、及び第２条件式によって構成される第２組み合わせ条件式に基づく組み合わせ監視条件を含む。図２の例に当てはめると、第２組み合わせ監視条件は、例えば、第１条件式に基づく単独監視条件がＮＯＴ単独監視条件２に対応し、第２条件式に基づく単独監視条件がＮＯＴ単独監視条件３に対応する場合、組み合わせ監視条件１に対応する。
【００６６】
ステップＳ２０４では、制御部１６は、第２組み合わせ監視条件Ｃnが成立したことを報知するように報知部１５を制御する。
【００６７】
ステップＳ２０５では、制御部１６は、受信した測定に関するパラメータの情報に基づいて、第１組み合わせ監視条件が成立したか否かを判定する。第１組み合わせ監視条件が成立したと制御部１６が判定すると、フローはステップＳ２０７に進む。第１組み合わせ監視条件が成立していないと制御部１６が判定すると、フローはステップＳ２０６を介してステップＳ２０２に戻る。
【００６８】
ステップＳ２０６では、制御部１６は、第２組み合わせ監視条件Ｃnの番号ｎの値をインクリメントする。すなわち、制御部１６は、ｎ＋１番目の第２組み合わせ監視条件Ｃn+1についてその成否の判定を開始する。
【００６９】
ステップＳ２０７では、制御部１６は、第１組み合わせ監視条件が成立したことを報知するように報知部１５を制御する。
【００７０】
図５は、図１の監視装置１０が第１組み合わせ監視条件の内容を条件式で表示するときの表示画面の一例を示す模式図である。
【００７１】
図５を参照すると、表示部１２は、制御部１６又はユーザによって決定された第１組み合わせ条件式の一部を構成する第１条件式と、当該第１条件式と組み合わせ演算式によって関連付けられる第２条件式とを並列させて表示する。表示部１２は、第１組み合わせ条件式の一部を２つ、２列でそれぞれ表示し、組み合わせ演算式によって互いに関連付けられる第１条件式及び第２条件式を同一の行で並列させて表示する。
【００７２】
例えば、図５に示す例では、表示部１２は、ｎが１〜７までの値を有する第２組み合わせ監視条件Ｃnに基づく第２組み合わせ条件式それぞれを、一行ごとに縦方向に順に配列して表示する。表示部１２は、各第２組み合わせ条件式の一部を構成する第１条件式を各行の条件１の列に表示する。表示部１２は、各第２組み合わせ条件式の一部を構成する第２条件式を各行の条件２の列に表示する。表示部１２は、各行において、第１条件式と第２条件式とを互いに関連付けるＡＮＤ及びＯＲ等を含む組み合わせ演算式を、第１条件式と第２条件式との間に表示する。
【００７３】
入力部１３が第２組み合わせ監視条件Ｃnに関するコメントの入力を受け付けると、表示部１２は、第２組み合わせ監視条件Ｃnに対応する第１条件式及び第２条件式と同一の行で並列させてコメントをさらに表示する。例えば、図５に示す例では、表示部１２は、各行において、第２組み合わせ監視条件Ｃnに関するコメントを第２条件式の右隣に表示する。例えば、表示部１２は、各コメントに基づいて、各第２組み合わせ監視条件Ｃnの結果に対応するプロセスガスクロマトグラフ装置２０の状態を表示する。
【００７４】
図５に示す第１組み合わせ監視条件は、プロセスガスクロマトグラフ装置２０に用いられるカラム劣化を検知するための条件である。このようなカラム劣化において、カラムが劣化することで保持時間が短くなるという特徴が知られている。そこで、保持時間が閾値よりも短くなるか否かを検知する。
【００７５】
ここで３つの条件を考慮する。第１条件は、成分濃度が略０％の場合、カラム劣化を誤検知する可能性が高いので、略０％の成分濃度に関する保持時間データは無効とするという条件である。第２条件は、単一の成分のみでカラム劣化を検知しようとする略０％のときに診断が困難であるので、複数成分の組み合わせによりカラム劣化を検知するという条件である。第３条件は、保持時間が短くなる要因はカラム劣化のみならず、キャリア圧力の一時的な増加によっても起こり得るため、対象とするカラムと異なるカラムにおいても成分の保持時間を判定するという条件である。キャリア圧力の一時的な増加によって、対象とするカラム以外のカラムにおいても保持時間が短くなる。したがって、このような現象を検知することで、保持時間の短縮化の原因から、キャリア圧力の一時的な増加を排除可能である。キャリア圧力の一時的な増加は、例えばキャリアが工場用の窒素Ｎ2等を使用している場合、又は他の運転条件により、瞬間的に起こり得る。加えて、キャリア圧力の一時的な増加は、キャリア減圧弁が破損した場合にも起こり得る。
【００７６】
ここで、図５に記載の「Ｐ１−１」は、カラム１の成分１を意味する。「Ｐ１−２」は、カラム１の成分２を意味する。「Ｐ２−１」は、カラム２の成分１を意味する。「Ｐ２−２」は、カラム２の成分２を意味する。
【００７７】
第２組み合わせ監視条件Ｃ1では、Ｐ１−１の保持時間が３０秒よりも短いという１つの単独監視条件に基づく第１条件式「Ｐ１−１．保持時間＜３０」と、Ｐ１−１の濃度が０．１１Ｖｏｌ％よりも大きいという１つの単独監視条件に基づく第２条件式「Ｐ１−１．濃度＞０．１１」とが組み合わせ演算式「ＡＮＤ」によって関連付けられている。このような状態で、表示部１２は、第１条件式「Ｐ１−１．保持時間＜３０」と第２条件式「Ｐ１−１．濃度＞０．１１」とを同一の行で２列に並列させて表示する。
【００７８】
第２組み合わせ監視条件Ｃ1では、保持時間が閾値よりも短くなることを示す第１条件式に加えて、上記の第１条件に関連する第２条件式が含まれている。すなわち、当該第２条件式の成立は、Ｐ１−１について一定以上の成分濃度が得られており、保持時間データを無効にする必要がないということを意味する。表示部１２は、第２組み合わせ監視条件Ｃ1が成立するとＰ１−１について何らかの異常が発生していることを示す「Ｐ１−１異常」というコメントを、第２組み合わせ監視条件Ｃ1の行において並列させて表示する。
【００７９】
第２組み合わせ監視条件Ｃ2では、Ｐ１−２の保持時間が６０秒よりも短いという１つの単独監視条件に基づく第１条件式「Ｐ１−２．保持時間＜６０」と、Ｐ１−２の濃度が０．１２Ｖｏｌ％よりも大きいという１つの単独監視条件に基づく第２条件式「Ｐ１−２．濃度＞０．１２」とが組み合わせ演算式「ＡＮＤ」によって関連付けられている。このような状態で、表示部１２は、第１条件式「Ｐ１−２．保持時間＜６０」と第２条件式「Ｐ１−２．濃度＞０．１２」とを同一の行で２列に並列させて表示する。
【００８０】
第２組み合わせ監視条件Ｃ2は、上記の第２条件に基づいて、第２組み合わせ監視条件Ｃ1と組み合わせるために設定された監視条件である。すなわち、第２組み合わせ監視条件Ｃ2は、上記の第２条件に基づいて、第２組み合わせ監視条件Ｃ1に関連する成分１とは異なる成分２に対して設定された監視条件である。第２組み合わせ監視条件Ｃ2では、保持時間が閾値よりも短くなることを示す第１条件式に加えて、上記の第１条件に関連する第２条件式が含まれている。表示部１２は、第２組み合わせ監視条件Ｃ2が成立するとＰ１−２について何らかの異常が発生していることを示す「Ｐ１−２異常」というコメントを、第２組み合わせ監視条件Ｃ2の行において並列させて表示する。
【００８１】
第２組み合わせ監視条件Ｃ3では、Ｐ２−１の保持時間が９０秒よりも短いという１つの単独監視条件に基づく第１条件式「Ｐ２−１．保持時間＜９０」と、Ｐ２−１の濃度が０．１３Ｖｏｌ％よりも大きいという１つの単独監視条件に基づく第２条件式「Ｐ２−１．濃度＞０．１３」とが組み合わせ演算式「ＡＮＤ」によって関連付けられている。このような状態で、表示部１２は、第１条件式「Ｐ２−１．保持時間＜９０」と第２条件式「Ｐ２−１．濃度＞０．１３」とを同一の行で２列に並列させて表示する。
【００８２】
第２組み合わせ監視条件Ｃ3は、上記の第３条件に基づいて、第２組み合わせ監視条件Ｃ1、Ｃ2に関連するカラム１とは異なるカラム２に対して設定された監視条件である。第２組み合わせ監視条件Ｃ3では、保持時間が閾値よりも短くなることを示す第１条件式に加えて、上記の第１条件に関連する第２条件式が含まれている。表示部１２は、第２組み合わせ監視条件Ｃ3が成立するとＰ２−１について何らかの異常が発生していることを示す「Ｐ２−１異常」というコメントを、第２組み合わせ監視条件Ｃ3の行において並列させて表示する。
【００８３】
第２組み合わせ監視条件Ｃ4では、Ｐ２−２の保持時間が１２０秒よりも短いという１つの単独監視条件に基づく第１条件式「Ｐ２−２．保持時間＜１２０」と、Ｐ２−２の濃度が０．１４Ｖｏｌ％よりも大きいという１つの単独監視条件に基づく第２条件式「Ｐ２−２．濃度＞０．１４」とが組み合わせ演算式「ＡＮＤ」によって関連付けられている。このような状態で、表示部１２は、第１条件式「Ｐ２−２．保持時間＜１２０」と第２条件式「Ｐ２−２．濃度＞０．１４」とを同一の行で２列に並列させて表示する。
【００８４】
第２組み合わせ監視条件Ｃ4は、上記の第３条件に基づいて、第２組み合わせ監視条件Ｃ1、Ｃ2に関連するカラム１とは異なるカラム２に対して、第２組み合わせ監視条件Ｃ3と同様に設定された監視条件である。また、第２組み合わせ監視条件Ｃ4は、上記の第２条件に基づいて、第２組み合わせ監視条件Ｃ3と組み合わせるために設定された監視条件である。すなわち、第２組み合わせ監視条件Ｃ4は、上記の第２条件に基づいて、第２組み合わせ監視条件Ｃ3に関連する成分１とは異なる成分２に対して設定された監視条件である。第２組み合わせ監視条件Ｃ4では、保持時間が閾値よりも短くなることを示す第１条件式に加えて、上記の第１条件に関連する第２条件式が含まれている。表示部１２は、第２組み合わせ監視条件Ｃ4が成立するとＰ２−２について何らかの異常が発生していることを示す「Ｐ２−２異常」というコメントを、第２組み合わせ監視条件Ｃ4の行において並列させて表示する。
【００８５】
第２組み合わせ監視条件Ｃ5では、２の単独監視条件に基づく第１条件式「Ｃ１」と、２つの単独監視条件に基づく第２条件式「Ｃ２」とが組み合わせ演算式「ＯＲ」によって関連付けられている。このような状態で、表示部１２は、第１条件式「Ｃ１」と第２条件式「Ｃ２」とを同一の行で２列に並列させて表示する。
【００８６】
第２組み合わせ監視条件Ｃ5は、上記の第２条件に基づいて、第２組み合わせ監視条件Ｃ1と第２組み合わせ監視条件Ｃ2とを組み合わせた監視条件である。すなわち、第２組み合わせ監視条件Ｃ5は、上記の第２条件に基づいて、異なる２つの成分１及び成分２に対する第２組み合わせ監視条件Ｃ1及び第２組み合わせ監視条件Ｃ2のいずれかの成立に伴って成立するように設定された監視条件である。表示部１２は、第２組み合わせ監視条件Ｃ5が成立するとカラム劣化の可能性があることを示す「カラム劣化」というコメントを、第２組み合わせ監視条件Ｃ5の行において並列させて表示する。
【００８７】
第２組み合わせ監視条件Ｃ6では、２の単独監視条件に基づく第１条件式「Ｃ３」と、２つの単独監視条件に基づく第２条件式「Ｃ４」とが組み合わせ演算式「ＯＲ」によって関連付けられている。このような状態で、表示部１２は、第１条件式「Ｃ３」と第２条件式「Ｃ４」とを同一の行で２列に並列させて表示する。
【００８８】
第２組み合わせ監視条件Ｃ6は、上記の第３条件に基づいて、第２組み合わせ監視条件Ｃ5と組み合わせるために設定された監視条件である。すなわち、第２組み合わせ監視条件Ｃ5が成立し、かつ第２組み合わせ監視条件Ｃ6が成立することは、異なる２つのカラム１及びカラム２それぞれについて保持時間が短くなっていることを意味し、キャリア圧力の一時的な増加が発生していることを意味する。表示部１２は、第２組み合わせ監視条件Ｃ5と共に第２組み合わせ監視条件Ｃ6が成立するとキャリア圧力の一時的な増加が発生している可能性があることを示す「キャリア圧力一時増加」というコメントを、第２組み合わせ監視条件Ｃ6の行において並列させて表示する。
【００８９】
第２組み合わせ監視条件Ｃ7では、４の単独監視条件に基づく第１条件式「Ｃ５」と、４つの単独監視条件に基づく第２条件式「ＮＯＴ  Ｃ６」とが組み合わせ演算式「ＡＮＤ」によって関連付けられている。このような状態で、表示部１２は、第１条件式「Ｃ５」と第２条件式「ＮＯＴ  Ｃ６」とを同一の行で２列に並列させて表示する。
【００９０】
第２組み合わせ監視条件Ｃ7は、上記の第３条件に基づいて、キャリア圧力の一時的な増加の可能性を排除して、プロセスガスクロマトグラフ装置２０の状態をカラム劣化として特定するために設定された監視条件である。すなわち、第２組み合わせ監視条件Ｃ5が成立し、かつ第２組み合わせ監視条件Ｃ6が成立していないことは、異なる２つのカラム１及びカラム２のうちカラム１のみについて保持時間が短くなっていることを意味し、保持時間の短縮化の原因がキャリア圧力の一時的な増加によるものではないことを意味する。表示部１２は、第２組み合わせ監視条件Ｃ7が成立すると異常の原因がカラム劣化に特定されカラムを交換する必要があることを示す「カラム劣化  カラム交換」というコメントを、第２組み合わせ監視条件Ｃ7の行において並列させて表示する。
【００９１】
組み合わせ監視条件が成立したと制御部１６が判定すると、報知部１５は、任意の方法でユーザに報知してもよい。図６乃至図８を参照しながら、一実施形態に係る監視装置１０の報知部１５が行う報知についてより詳細に説明する。
【００９２】
図６は、図１の報知部１５がユーザに対して行う報知の第１例を示した模式図である。
【００９３】
図６を参照すると、報知部１５は、例えば、表示部１２を構成する画面にダイアログボックスを表示することでユーザに報知してもよい。表示部１２は、条件式が表示された図５に示すウィンドウと重畳するように図６のダイアログボックスを表示してもよい。表示部１２は、ダイアログボックスにおいて、例えば、組み合わせ監視条件が成立した発生日時、アナライザＩＤ、及び組み合わせ監視条件の番号等を表示してもよい。また、表示部１２は、ダイアログボックスにおいて、成立した組み合わせ監視条件に対応するコメント内容を併せて表示してもよい。
【００９４】
例えば、図６では、制御部１６は、第２組み合わせ監視条件Ｃ7が成立し、第１組み合わせ監視条件が成立したと判定している。このとき、表示部１２は、第２組み合わせ監視条件Ｃ7に対応するコメント内容を表示したダイアログボックスを表示する。
【００９５】
図７は、図１の報知部１５がユーザに対して行う報知の第２例を示した模式図である。
【００９６】
図７を参照すると、報知部１５は、例えば、条件式が表示された図５に示すウィンドウ内で、成立した第２組み合わせ監視条件Ｃnの行をハイライト表示してもよい。例えば、図７に示す例では、第２組み合わせ監視条件Ｃ1、Ｃ2が成立することで第２組み合わせ監視条件Ｃ5が成立し、かつ第２組み合わせ監視条件Ｃ6が成立していないことで、第２組み合わせ監視条件Ｃ7が成立している。このとき、表示部１２は、第２組み合わせ監視条件Ｃ1、Ｃ2、Ｃ5、Ｃ7の行をハイライト表示する。一方で、表示部１２は、条件が成立していない第２組み合わせ監視条件Ｃ3、Ｃ4、Ｃ6の行をハイライト表示しない。これに限定されず、表示部１２は、条件が成立している行と条件が成立していない行と共にハイライト表示してもよく、この場合、互いの行において異なる表示色で各行を表示してもよい。
【００９７】
図８は、図１の報知部１５がユーザに対して行う報知の第３例を示した模式図である。
【００９８】
図８を参照すると、報知部１５は、例えば、表示部１２を構成する画面にダイアログボックスを表示し、かつ条件式が表示された図５に示すウィンドウ内で、成立した第２組み合わせ監視条件Ｃnの行をハイライト表示してもよい。図８に示す例では、表示部１２は、図７に示すハイライト表示されたウィンドウに対して図６のダイアログボックスを重畳表示している。
【００９９】
以上のように、プロセスガスクロマトグラフ装置２０におけるカラム等の各構成部そのものに実際にセンサを取り付けてその状態を検知することができないような場合であっても、複数の単独監視条件を組み合わせた組み合わせ監視条件により判定することで、単独監視条件だけでは把握できなかったプロセスガスクロマトグラフ装置２０の状態が監視可能である。また、図５のような表示により、推定に必要な測定データの組み合わせをユーザ自身で把握していなくても、ユーザは、プロセスガスクロマトグラフ装置２０の状態を容易に特定可能である。このように、ユーザは、複数の監視条件を組み合わせる場合であっても監視条件の内容を容易に把握可能である。したがって、ユーザの利便性が向上する。
【０１００】
図５に示す例のように２個の監視条件の判定を組み合わせることで、複雑なロジック判定が容易に把握可能である。例えば、４つの条件Ａ、Ｂ、Ｃ、及びＤを「A and B and C or D」のように単純に配列した場合、「(A and B and C) or D」であるのか「(A and B) and (C or D)」であるのかが不明である。一実施形態に係る監視装置１０によれば、このような問題点を解決して、ユーザは一見して各条件式の関係を把握できる。したがって、ユーザは、プログラムの構文を容易にチェック可能である。
【０１０１】
図９は、一例として、図５の各条件式を一行に配置したときの画面を示す模式図である。図９を参照すると、図５の例に示すような第１組み合わせ条件式は複雑であり、一行が非常に長くなる。一実施形態に係る監視装置１０によれば、このような問題点を解決して、各条件式を２列で表示することで、小さな画面及び限られた表示領域等においても、ユーザが条件式を容易に把握可能である。ユーザが視認可能な文字の大きさには下限がある。したがって、条件式の長さが短くなることで文字が大きくなり、ユーザの視認性が向上する。一方で、画面全体に対する条件１及び条件２のセルの長さの割合が大きくなるので、一度に表示できる文字数が増加し、ユーザの視認性がさらに向上する。
【０１０２】
さらに、ユーザの視認性が向上することで、ユーザによる入力設定が容易になる。より具体的には、ユーザは、単独監視条件に基づく単独条件式、及び組み合わせ監視条件に基づく組み合わせ条件式の入力設定を容易に行うことができる。また、すでに入力済みの単独条件式又は組み合わせ条件式を変更したいような場合、ユーザは、単独条件式又は組み合わせ条件式の編集を容易に行うことができる。
【０１０３】
図５に示す画面のコメント表示により、ユーザは、カラム劣化等の組み合わせ監視条件の結果を容易に把握することができる。カラム劣化等の組み合わせ監視条件が不成立で、カラム劣化の異常が生じていなかった場合であっても、カラム劣化の判定において使用する条件式の各過程についてコメントが表示されるため、ユーザは、過程ごとのプロセスガスクロマトグラフ装置２０の状態を容易に把握可能である。このとき、ユーザは、カラムには異常がなかった場合であっても、他の箇所の状態、及び当該個所に問題が生じている可能性があることを把握可能である。これらを把握することで、ユーザは、迅速で的確な保全作業を行うことができる。
【０１０４】
図５の監視条件画面を見るユーザは、複雑な条件式の成立又は不成立を容易に確認可能である。例えば、ユーザは、報知部１５による報知によって、各条件式が成立しているか否かをより直感的に把握することができる。結果として、ユーザは残りのどの監視条件が成立すれば第１組み合わせ監視条件が成立するのかを一見して把握可能であり、ユーザが注意すべき監視条件が明白になる。
【０１０５】
本開示を諸図面及び実施形態に基づいて説明してきたが、当業者であれば本開示に基づき種々の変形及び修正を行うことが容易であることに注意されたい。したがって、これらの変形及び修正は本開示の範囲に含まれることに留意されたい。例えば、各手段又は各ステップ等に含まれる機能等は論理的に矛盾しないように再配置可能であり、複数の手段又はステップ等を１つに組み合わせたり、或いは分割したりすることが可能である。
【０１０６】
例えば、本開示は、上述した監視システム１の各機能を実現する処理内容を記述したプログラム又はプログラムを記録した記憶媒体としても実現し得る。本開示の範囲には、これらも包含されると理解されたい。
【０１０７】
上記では、表示部１２は、第１条件式及び第２条件式を２列で表示するとして説明したが、表示方法はこれに限定されない。ユーザが容易に把握可能であれば、表示部１２は、例えば３列以上で各条件式を表示してもよい。
【０１０８】
上記では、制御部１６は、第２組み合わせ監視条件Ｃnが成立したか否か、及び第１組み合わせ監視条件が成立したか否かの両方を判定するとして説明したが、これに限定されない。制御部１６は、第２組み合わせ監視条件Ｃnが成立したか否か、及び第１組み合わせ監視条件が成立したか否かのいずれか一方のみを判定してもよい。
【０１０９】
上記では、報知部１５は、第２組み合わせ監視条件Ｃn及び第１組み合わせ監視条件が成立するごとにユーザに対して報知すると説明したが、これに限定されない。報知部１５は、第２組み合わせ監視条件Ｃnにおける報知を省略して、第１組み合わせ監視条件が最終的に成立したときのみ報知してもよいし、第１組み合わせ監視条件における報知を省略して、その過程の各第２組み合わせ監視条件Ｃnにおいてのみ報知してもよい。
【０１１０】
上記では、クロマトグラフ装置としてプロセスガスクロマトグラフ装置２０に限定して説明したが、クロマトグラフ装置の種類はこれに限定されない。監視システム１は、工業用のプロセスガスクロマトグラフ装置２０に代えて、ラボ用のガスクロマトグラフ装置を有してもよいし、ガス用ではない液体クロマトグラフ装置を有してもよい。
【０１１１】
例えばプロセスガスクロマトグラフ装置２０の状態に関する知見が今後も蓄積されることで、センサを直接取り付けて状態を監視することが困難な構成部の劣化等が、単独監視条件を組み合わせて監視可能になるような場合がより増大する可能性がある。本開示は、そのような場合に対しても応用可能である。
【符号の説明】
【０１１２】
１      監視システム
１０    監視装置
１１    通信部
１２    表示部
１３    入力部
１４    記憶部
１５    報知部
１６    制御部
２０    プロセスガスクロマトグラフ装置
３０    ネットワーク
【図１】
2020034324.tif 000003
【図２】
2020034324.tif 000004
【図３Ａ】
2020034324.tif 000005
【図３Ｂ】
2020034324.tif 000006
【図４】
2020034324.tif 000007
【図５】
2020034324.tif 000008
【図６】
2020034324.tif 000009
【図７】
2020034324.tif 000010
【図８】
2020034324.tif 000011
【図９】
2020034324.tif 000012
【図１０】
2020034324.tif 000013
【図１１】
2020034324.tif 000014